(57)【特許請求の範囲】
【請求項１】
支柱（２）と、該支柱に取り付けられた門扉本体（３）と、からなる門扉（１）であって、
上記支柱（２）は、その下部位置に上記門扉本体を取り付けるための略水平方向に伸びる柱形部材（２１ｂ）を有する下方連結部（２１）を備え、
上記門扉本体（３）は、その下部位置に上記下方連結部（２１）を受け入れるための下方連結部受け入れ部（３１）を備え、該下方連結部受け入れ部（３１）は、上記下方連結部（２１）を受け入れるため門扉本体側面側に設けられた略水平方向に伸びる開口部分（３１ａ）と、該開口部分から門扉本体上方にざぐられた略垂直方向に伸びるざぐり部分（３１ｂ）とを有し、
上記下方連結部（２１）の略水平方向柱形部材（２１ｂ）を上記下方連結部受け入れ部（３１）の上記開口部分（３１ａ）に水平方向に挿入した後に門扉本体（３）が下降することにより上記略水平方向柱形部材（２１ｂ）を相対的に垂直方向へ移動させて上記ざぐり部分（３１ｂ）に嵌合させ、
且つこの支柱（２）及び門扉本体（３）の下部位置における上記嵌合状態が門扉本体（３）の自重により保持された状態で、門扉本体（３）の上方連結部（３２）を支柱（２）の上方連結部（２２）に対して容易に連結させ得且つ容易には取り外せないように支持させ得ることを特徴とする門扉。
【発明の詳細な説明】
【０００１】
【発明の属する技術分野】
本発明は、門扉に関する。特に、設置施工が容易であるが、設置施工後には門扉本体を支柱から容易には取り外すことのできない構成を有する門扉に関する。
【０００２】
【従来の技術】
従来の門扉は、支柱と門扉本体とを少なくとも上下２カ所でボルト止めして設置していた（図１）。そのため、設置施工時には、まず下方の連結部をボルト止めして、門扉本体を支柱に支持させておいて、次に上方の連結部をボルト止めする必要があった。この場合、重量のある門扉本体を複数の作業員が支持していなければならず、作業が容易ではなかった。また、施工後、連結部のボルトが故意又は偶然に外れてしまうことがあり、安全面でも問題があった。
【０００３】
【発明が解決しようとする課題】
そこで、本発明は、設置施工作業が容易で且つ施工後容易には外れない連結部を有する門扉を提供することを目的とする。
【０００４】
【課題を解決するための手段】
本発明によれば、支柱（２）と、該支柱に取り付けられた門扉本体（３）と、からなる門扉（１）であって、
上記支柱（２）は、その下部位置に上記門扉本体を取り付けるための略水平方向に伸びる柱形部材（２１ｂ）を有する下方連結部（２１）を備え、
上記門扉本体（３）は、その下部位置に上記下方連結部（２１）を受け入れるための下方連結部受け入れ部（３１）を備え、該下方連結部受け入れ部（３１）は、上記下方連結部（２１）を受け入れるため門扉本体側面側に設けられた略水平方向に伸びる開口部分（３１ａ）と、該開口部分から門扉本体上方にざぐられた略垂直方向に伸びるざぐり部分（３１ｂ）とを有し、
上記下方連結部（２１）の略水平方向柱形部材（２１ｂ）を上記下方連結部受け入れ部（３１）の上記開口部分（３１ａ）に水平方向に挿入した後に門扉本体（３）が下降することにより上記略水平方向柱形部材（２１ｂ）を相対的に垂直方向へ移動させて上記ざぐり部分（３１ｂ）に嵌合させ、
且つこの支柱（２）及び門扉本体（３）の下部位置における上記嵌合状態が門扉本体（３）の自重により保持された状態で、門扉本体（３）の上方連結部（３２）を支柱（２）の上方連結部（２２）に対して容易に連結させ得且つ容易には取り外せないように支持させ得ることを特徴とする門扉が提供される。
【０００５】
上記連結部は、上記支柱側面に溶接等により固定されたコの字形の支持部材と、上記支持部材の対向する側面の間に設けられた円柱形部材と、を有し、上記開口部分及びざぐり部分は、上記円柱形部材を受け入れ支持するように構成されていることが好ましい。上記開口部分及びざぐり部分の各コーナーは、上記円柱形部材を受け入れやすいように円柱形部材の形状に適合する曲率を有することが好ましい。
【０００６】
【好ましい実施形態】
以下、添付図面を参照しながら、本発明をさらに詳細に説明するが、本発明はこれに限定されるものではない。
【０００７】
図１は、従来の門扉の支柱と門扉本体との連結部を示す斜視図である。図２は、本発明の門扉の支柱と門扉本体との連結部を示す斜視図である。図３は、門扉本体に設けられた連結部受け入れ部を示す部分平面図である。
【０００８】
図１に示す従来の門扉１’においては、支柱２’と門扉本体３’とは、支柱２’及び門扉本体３’上方の連結位置において、支柱２’側の第１の連結部２２’と門扉本体３’側の第２の連結部３２’とが、ボルト２３’によって連結され、支柱２’と門扉本体３’との下方の連結位置において、支柱２’外周面に取り付けられたコの字形の連結部２１’によって門扉本体３’を狭持し、門扉本体３’に設けられたボルト穴３１’及び支柱２’側の連結部２１’の側面２１ａ’に設けられたボルト穴を貫通するようにボルト及びナット２１ｂ’を通して、上下の連結位置にてボルト止めして、門扉本体３’を支柱２’に支持させている。支柱２’の上方の連結位置には第１及び第２の連結部を覆うカバー部材４’が取り付けられているが、下方の連結位置には何らのカバーもなく、ボルト及びナットがむき出しのままである。
【０００９】
図２には、本発明による門扉１が示されている。門扉１は、支柱２と門扉本体３とを含む。支柱２には、その上部に図１と同様の第１の連結部２２が設けられている。門扉本体３には、その上部に図１と同様の第２の連結部３２が設けられている。第１の連結部２２と第２の連結部３２との連結は上述した図１と同様である。
【００１０】
支柱２の下部には、コの字形の連結部２１が設けられている。連結部２１は、支柱２に取り付けられる背面２１ｃと、支柱２から突出する側面２１ａと、側面２１ａの間に設けられた円柱形部材２１ｂとからなる。円柱形部材２１ｂは、背面２１ｃから所定距離離間されて設けられている。
【００１１】
門扉本体３の下部には、支柱２の連結部２１と対応する位置に、図３に示すような開口部分３１ａと該開口部分３１ａから門扉本体３上方向に向かってざぐられたざぐり部分３１ｂとを有する。開口部分３１ａ及びざぐり部分３１ｂは、円柱形部材２１ｂを受け入れるに適当な寸法であり、円柱形部材２１ｂを受け入れやすくするために、各コーナーは円柱形部材２１ｂの径に対応する所定の曲率で面取りされている。
【００１２】
本発明の門扉の組立は、まず、門扉本体３を水平に移動させて、支柱２の連結部２１の円柱形部材２１ｂが門扉本体３の開口部分３１ａに受け入れられるようにする。円柱形部材２１ｂが開口部分３１ａに受け入れられたならば、そのまま門扉本体３を支柱２側に水平移動する。円柱形部材２１ｂが開口部分３１ａの突き当たりの面３１ｃに当接したときに、門扉本体３を垂直方向下方に押し下げれば、円柱形部材２１ｂはざぐり部分３１ｂに嵌合する。一度、嵌合すれば、門扉本体３の自重によりざぐり部分３１ｂは円柱形部材２１ｂに固定される。ざぐり部分３１ｂの門扉本体３上方向に向かってざぐられた形状により、円柱形部材２１ｂは水平方向にも移動できず、結局、円柱形部材２１ｂはざぐり部分３１ｂ内に固定されることになる。こうして、支柱２と門扉本体３とを下方の連結位置で固定した後、上方の連結位置にて従来と同様に、門扉本体３の第２の連結部３２を支柱２の第１の連結部２２に嵌合させ、ボルト及びナットで、第１及び第２の連結部２２，３２を固定する。最後に、第１及び第２の連結部を覆うようにカバー部材４を被せることで設置作業は完了する。こうして、ボルト止めされている上方の連結位置はカバー部材４により覆われるので外部からは見えず、また下方の連結位置はボルトを用いずに連結されることになる。
【００１３】
【発明の効果】
したがって、本発明の門扉においては、下方の連結位置における作業が困難なボルト止めの必要性が排除され、ボルト止め作業が比較的容易な上方の連結位置だけをボルト止めすればよいので、設置施工が容易になる。また、下方の連結位置の連結は門扉本体を支柱に向かって水平に移動させた後、垂直方向下方に向かって押し下げるだけでよいので、作業が非常に容易である。さらに、設置後、ボルトが外部に現れないので、デザイン上も優れたものとなる。また、外れやすいボルトが外部に現れないことから、ボルトが故意又は偶然に外れることを効果的に防止することができる。
【００１４】
以上の利点は、従来の門扉の設置作業において、▲１▼支柱２’に門扉本体３’を取り付けるために、まず下方の連結位置で門扉本体３’のボルト穴３１’を支柱２’の連結部２１’に位置決めした上でボルト止めしなければならなかったこと、▲２▼このボルト止め作業の間、重量のある門扉本体を支持していなければならず、作業員の負担が大きかったこと、▲３▼設置後、ボルトがむき出しのままとなり、デザイン的にも好ましくなかったこと、▲４▼むき出しのボルトが故意又は偶然に外れやすかったこと、等の問題が生じていたことを考えると、非常に優れたものである。
【図面の簡単な説明】
【図１】図１は、従来の門扉の支柱と門扉本体との連結部を示す斜視図である。
【図２】図２は、本発明の門扉の支柱と門扉本体との連結部を示す斜視図である。
【図３】図３は、門扉本体に設けられた連結部受け入れ部を示す部分平面図である。
【符号の説明】
１：門扉
２：支柱
３：門扉本体
４：カバー部材
２１：連結部
２１ｂ：円柱形部材
３１：連結部受け入れ部
３１ａ：開口部分
３１ｂ：ざぐり部分
【図１】
0003628471.tif 000002
【図２】
0003628471.tif 000003
【図３】
0003628471.tif 000004